(57)【要約】【課題】  撮像部を回動させるに当たって適度なフリクションを、簡単、安価な構成で与えることのできる機構を備えた電子カメラを提供することが課題である。【解決手段】  撮像部または操作部に固定され、撮像部と操作部との相対的な回動を所定角度で停止させるためのストッパリブを有したヒンジプレートと、操作部または撮像部に固定され、ヒンジプレートに回転可能に抜け止めした回転シャフト、及び前記ヒンジプレートに設けられたストッパリブへの当接によって回動を所定角度に制限するためのストッパ面を配した凹部を有するシャフト付きヒンジプレートと、前記ストッパリブに填め込み、前記シャフト付きヒンジプレートの回動にフリクションを与えるＯリングとで構成し、前記シャフト付きヒンジプレートのシャフトと前記Ｏリングとの摩擦力によって前記撮像部と操作部の回動にフリクションを与えるようにした。【選択図】      図６
2005079924.tif 000002
【特許請求の範囲】
【請求項１】
撮像装置を有した撮像部と、
前記撮像装置で撮像した映像を表示する表示装置を有する操作部と、
ヒンジプレートと、該ヒンジプレートに対し回動自在に配置された回転シャフトとを有すると共に、前記撮像部と前記操作部とを回動可能に連結するヒンジ機構と、
弾性部材と、前記ヒンジプレートに設けられた前記弾性部材を保持する保持部材と、を備え、
前記弾性部材が前記シャフトの側面に当接することにより、前記撮像部と前記操作部との回動にフリクションを与えることを特徴とする電子カメラ。
【請求項２】
前記ヒンジプレートに前記回転シャフトが挿通する挿通孔を備え、
前記保持部材を前記挿通孔の近傍に立設した少なくとも１以上のリブにより構成したことを特徴とする請求項１記載の電子カメラ。
【請求項３】
前記弾性部材をＯリングで構成すると共に、前記リブの断面を略円弧状に形成し、前記Ｏリングを前記リブで係止することにより保持することを特徴とする請求項２に記載の電子カメラ。
【請求項４】
前記弾性部材をＯリングで構成すると共に、前記Ｏリングを１以上の前記リブで係止することにより保持することを特徴とする請求項２に記載の電子カメラ。
【請求項５】
前記ヒンジ機構が前記保持部材により回動角度の制限を行うことを特徴とする請求項１乃至４の何れかに記載の電子カメラ。
【請求項６】
前記ヒンジ機構に回動規制部材を設け、前記保持部材が前記回動規制部材に当接することにより前記回動角度の制限を行うことを特徴とする請求項５に記載の電子カメラ。
【請求項７】
前記回転シャフトを保持する他のヒンジプレートを備え、
前記回動規制部材を略円弧状の凹部とし、該凹部を前記回転シャフト又は前記他のヒンジプレートに備えたことを特徴とする請求項６に記載の電子カメラ。
【請求項８】
前記保持部材により前記ヒンジ機構の回動角度の制限を行う回動制限部材を前記撮像部の筐体又は前記操作部の筐体に備えたことを特徴とする請求項１乃至４の何れかに記載の電子カメラ。
【請求項９】
撮像装置を有した撮像部と、
前記撮像装置で撮像した映像を表示する表示装置を有する操作部と、
ヒンジプレートと、該ヒンジプレートに対して回動自在に配置された回転シャフトとを有すると共に、前記撮像部と前記操作部とを回動可能に連結するヒンジ機構と、
弾性部材と、前記回転シャフトに設けられた前記弾性部材を保持する凹溝部と、前記ヒンジプレートに設けられた前記弾性部材と当接する当接部と、を備え、
前記弾性部材が前記当接部に当接することにより、前記撮像部と前記操作部との回動にフリクションを与えることを特徴とする電子カメラ。
【請求項１０】
前記ヒンジプレートに前記回転シャフトが挿通する挿通孔を備え、
前記当接部材を前記挿通孔の近傍に立設した少なくとも１以上のリブにより構成したことを特徴とする請求項９に記載の電子カメラ。
【請求項１１】
前記弾性部材をＯリングで構成し、該Ｏリングを前記凹溝部に嵌入すると共に、前記リブの断面を略円弧状に形成し、前記Ｏリングが前記リブの略円弧状の立設面に当接することにより前記撮像部と前記操作部との回動にフリクションを与えることを特徴とする請求項１０に記載の電子カメラ。
【請求項１２】
前記凹溝部を前記回転シャフトの回動全周の所定角度範囲にのみ設け、前記Ｏリングの前記回転シャフトからの突出量を前記所定角度範囲外で大とすることにより、前記所定範囲外にて前記Ｏリングの回動が前記当接部に規制され、前記ヒンジ機構の回動角度の制限を行うことを特徴とする請求項９乃至１１の何れかに記載の電子カメラ。
【請求項１３】
前記回転シャフトを中空とし、該中空部に前記撮像部と前記操作部間を結ぶ信号線を備えたことを特徴とする請求項１乃至１２の何れかに記載の電子カメラ。
【請求項１４】
ヒンジプレートと、該ヒンジプレートに対し回動自在に配置された回転シャフトと、弾性部材と、前記ヒンジプレートに設けられた前記弾性部材を保持する保持部材と、前記回転シャフト又は他のヒンジプレートに設けられた回転規制部材と、を備え、
前記弾性部材が前記回転シャフトの側面に当接することにより、前記ヒンジプレートに対する前記回転シャフトの回動にフリクションを与えると共に、前記保持部材が前記回動規制部材に当接することにより回動角度の制限を行うことを特徴とするヒンジ機構。
【請求項１５】
ヒンジプレートと、該ヒンジプレートに対し回動自在に配置された回転シャフトと、弾性部材と、前記回転シャフトに設けられた前記弾性部材を保持する凹溝部と、前記ヒンジプレートに設けられた前記弾性部材と当接する当接部と、を備え、
前記弾性部材が前記当接部に当接することにより、前記ヒンジプレートに対する前記回転シャフトの回動にフリクションを与えると共に、
前記凹溝部を前記回転シャフトの回動全周の所定範囲にのみ設け、前記弾性部材の前記回転シャフトからの突出量を前記所定角度範囲外で大とすることにより、前記所定範囲外にて前記弾性部材の回動が前記当接部に規制され、前記ヒンジ機構の回動角度の制限をおこなうことを特徴とするヒンジ機構。
【発明の詳細な説明】
【技術分野】
【０００１】
本発明は、ＣＣＤなどの撮像素子で撮像した画像を内蔵メモリや外部記憶装置に記憶できるようにした電子カメラに関し、特に操作部と撮像部をヒンジで結合し、撮像部を回動できるようにした電子カメラ及びヒンジ機構に関するものである。
【背景技術】
【０００２】
ＣＣＤなどの撮像素子を備え、画像をデジタル的に記録できるようにした電子カメラは、従来のフィルムを用いたカメラのように現像、焼き付けなどが不用で撮った画像をすぐ見ることができ、しかもＣＣＤなどの撮像素子は、１素子当たりの画素数が年々増大しているにもかかわらず従来のフィルムよりも小さく、それによってカメラ自体を小型に構成できるという利点がある。
【０００３】
そのため例えば、Ｙシャツの胸ポケットやＧパンの臀部ポケットなどに収容できる薄さと強度を持ち、そういったところやハンドバックなどに収容しても違和感をおこさせない軽さで、しかも高倍率のズーム機構を備えた電子カメラの出現が望まれている。
【０００４】
しかしながらズームレンズは、通常複数のレンズ群で構成され、しかも、そのうちのいくつかのレンズ群を進退させさせることで所望の焦点距離を得るようにしている。そのため、旧来のフィルムを使用したカメラのようにカメラ本体から撮影レンズを突出させるようにした方式では、撮影時以外はレンズを本体内に収納する沈胴式にしたとしても、レンズ枚数の多さとレンズ群を前後させる機構の存在で、カメラ本体を一定以下の厚さにするのは困難である。
【０００５】
そのため、突出したレンズを電源オフ時にカメラ本体に収納する際、中間群のレンズを光軸外に移動させ、それによって薄型化を達成するようにしたカメラも出現しているが、このように中間レンズ群を移動させる方式では光学系の精度が悪化し、また中間レンズ群やレンズ鏡筒を電源オフによってカメラ本体に沈める方式そのものが、電源をオンしたときに撮影ができるようになるまで一定の時間を必要とするから、起動するまでの時間が長くなってシャッターチャンスを逃すという欠点がある。
【０００６】
そのため特許文献１、２に示されているように、表示装置を有した操作部にヒンジ機構などの回転機構で回転可能に接続した撮像部に、撮影レンズとファインダと発光装置などを配して撮影レンズを被写体方向に向けられるようにし、しかも、表示装置は撮影者の方に向けるようにしたカメラが提案されている。このように電子カメラを構成すると、例えば撮影者（自分）を撮影したいという場合や、地面近傍の被写体を撮影する場合でも、撮像部を被写体に向けながら表示装置を常時確認することが可能であり、さらに特許文献２の電子カメラは、撮像部がコンバーションレンズなどの装着によってクリック機構だけでは係止できないようになることを防止するため、所定回転位置に係止機構を設けている。
【０００７】
【特許文献１】特開平１１−２６１８５９号公報（図１）
【特許文献２】特開２００２−３２０１２０公報（図５）
【発明の開示】
【発明が解決しようとする課題】
【０００８】
しかしながら特許文献１、２に示されたカメラは、操作部における電池収納部が他の部分より厚く構成されてグリップ部となっており、Ｙシャツの胸ポケットやＧパンの臀部ポケットなどに収容した場合は違和感を感じさせてしまう。また特許文献２に示された電子カメラは、撮像部がコンバーションレンズなどの装着により、クリック機構だけでは係止できないようになることを防止するため、所定回転位置に係止機構を設けているがその構造が複雑であり、電子カメラ自体が高価になってしまう。
【０００９】
そのため本発明においては、撮像部を回動させるに当たって適度なフリクションを、簡単、安価な構成で与えることのできる機構を備えた電子カメラを提供することが課題である。
【課題を解決するための手段】
【００１０】
上記課題を解決するため本発明においては、
撮像装置を有した撮像部と、
前記撮像装置で撮像した映像を表示する表示装置を有する操作部と、
ヒンジプレートと、該ヒンジプレートに対し回動自在に配置された回転シャフトとを有すると共に、前記撮像部と前記操作部とを回動可能に連結するヒンジ機構と、
弾性部材と、前記ヒンジプレートに設けられた前記弾性部材を保持する保持部材と、を備え、
前記弾性部材が前記シャフトの側面に当接することにより、前記撮像部と前記操作部との回動にフリクションを与えることを特徴とする。
【００１１】
また、前記ヒンジプレートに前記回転シャフトが挿通する挿通孔を備え、前記保持部材を前記挿通孔の近傍に立設した少なくとも１以上のリブにより構成したことを特徴とする。
【００１２】
さらに、前記弾性部材をＯリングで構成すると共に、前記リブの断面を略円弧状に形成し、前記Ｏリングを前記リブで係止することにより保持することを特徴とする。
【００１３】
さらに、前記弾性部材をＯリングで構成すると共に、前記Ｏリングを１以上の前記リブで係止することにより保持することを特徴とする。
【００１４】
さらに、前記ヒンジ機構が前記保持部材により回動角度の制限を行うことを特徴とする。
【００１５】
さらに、前記ヒンジ機構に回動規制部材を設け、前記保持部材が前記回動規制部材に当接することにより前記回動角度の制限を行うことを特徴とする。
【００１６】
さらに、前記回転シャフトを保持する他のヒンジプレートを備え、前記回動規制部材を略円弧状の凹部とし、該凹部を前記回転シャフト又は前記他のヒンジプレートに備えたことを特徴とする。
【００１７】
さらに、前記保持部材により前記ヒンジ機構の回動角度の制限を行う回動制限部材を前記撮像部の筐体又は前記操作部の筐体に備えたことを特徴とする。
【００１８】
また上記課題を解決するため本発明においては、
撮像装置を有した撮像部と、
前記撮像装置で撮像した映像を表示する表示装置を有する操作部と、
ヒンジプレートと、該ヒンジプレートに対して回動自在に配置された回転シャフトとを有すると共に、前記撮像部と前記操作部とを回動可能に連結するヒンジ機構と、
弾性部材と、前記回転シャフトに設けられた前記弾性部材を保持する凹溝部と、前記ヒンジプレートに設けられた前記弾性部材と当接する当接部と、を備え、
前記弾性部材が前記当接部に当接することにより、前記撮像部と前記操作部との回動にフリクションを与えることを特徴とする。
【００１９】
そして、前記ヒンジプレートに前記回転シャフトが挿通する挿通孔を備え、前記当接部材を前記挿通孔の近傍に立設した少なくとも１以上のリブにより構成したことを特徴とする。
【００２０】
また、前記弾性部材をＯリングで構成し、該Ｏリングを前記凹溝部に嵌入すると共に、前記リブの断面を略円弧状に形成し、前記Ｏリングが前記リブの略円弧状の立設面に当接することにより前記撮像部と前記操作部との回動にフリクションを与えることを特徴とする。
【００２１】
さらに、前記凹溝部を前記回転シャフトの回動全周の所定角度範囲にのみ設け、前記Ｏリングの前記回転シャフトからの突出量を前記所定角度範囲外で大とすることにより、前記所定範囲外にて前記Ｏリングの回動が前記当接部に規制され、前記ヒンジ機構の回動角度の制限を行うことを特徴とする。
【００２２】
さらに、前記回転シャフトを中空とし、該中空部に前記撮像部と前記操作部間を結ぶ信号線を備えたことを特徴とする。
【００２３】
また上記課題を解決するため電子カメラのヒンジ機構は、
ヒンジプレートと、該ヒンジプレートに対し回動自在に配置された回転シャフトと、弾性部材と、前記ヒンジプレートに設けられた前記弾性部材を保持する保持部材と、前記回転シャフト又は他のヒンジプレートに設けられた回転規制部材と、を備え、
前記弾性部材が前記回転シャフトの側面に当接することにより、前記ヒンジプレートに対する前記回転シャフトの回動にフリクションを与えると共に、前記保持部材が前記回動規制部材に当接することにより回動角度の制限を行うことを特徴とする。
【００２４】
さらに上記課題を解決するため電子カメラのヒンジ機構は、
ヒンジプレートと、該ヒンジプレートに対し回動自在に配置された回転シャフトと、弾性部材と、前記回転シャフトに設けられた前記弾性部材を保持する凹溝部と、前記ヒンジプレートに設けられた前記弾性部材と当接する当接部と、を備え、
前記弾性部材が前記当接部に当接することにより、前記ヒンジプレートに対する前記回転シャフトの回動にフリクションを与えると共に、
前記凹溝部を前記回転シャフトの回動全周の所定範囲にのみ設け、前記弾性部材の前記回転シャフトからの突出量を前記所定角度範囲外で大とすることにより、前記所定範囲外にて前記弾性部材の回動が前記当接部に規制され、前記ヒンジ機構の回動角度の制限をおこなうことを特徴とする。
【発明の効果】
【００２５】
本発明によれば、適度なフリクションを簡単、安価な構成で与えることのできる電子カメラを提供できる。
【発明を実施するための最良の形態】
【００２６】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００２７】
図１は電子カメラの全体図、図２は電子カメラのレンズを被写体方向に向けた撮影状態を示した図、図３は電子カメラのレンズをカメラ操作者（自分）方向に向けた撮影状態を示した図、図４は電子カメラのレンズを被写体方向に向けて撮影するときのカメラのホールド状態を示した図である。
【００２８】
図中１００は電子カメラ、１０１は撮像部、１０２は操作部、１０３は撮影レンズ窓、１０４はストロボなどの発光装置窓、１０５は液晶などを用いた表示装置、１０６はシャッター釦、１０７は電源釦、１０８は十字キーと決定キーで構成され、表示装置１０５に表示された機能や項目を選択するための選択決定キー、１０９は光学系ズーミングを指示するズームキー、１１０はカメラモードメニューのオン、オフを切り替えるメニュー釦、１１１は表示装置１０５の表示内容と照明のオン、オフを切り替えるディスプレイ釦、１１２は表示装置１０５の表示内容をシーンセレクト選択画面に切り替えるシーン釦、１１３は上述のカメラモードメニューにて絞り優先モードやシャッター優先モード、高速で動く被写体を撮影するスポーツモード、近距離のものを撮影するマクロモード、ストロボの強制発光や発光停止等のストロボ制御、動画撮影、再生などのモードを選択するモードセレクト釦、１１４はスピーカである。
【００２９】
電子カメラ１００は、図１乃至３に示したように、操作部１０２側に表示装置１０５と一般的な撮影用操作釦類１０６乃至１１３を配し、この操作部１０２にヒンジ機構で回動可能に接続された撮像部１０１の一端側には、撮影レンズ窓１０３、その操作部１０２側に発光装置窓１０４を配してある。そしてこの撮像部１０１の内部には、撮影レンズ窓１０３の背後に撮影用ズームレンズが、そしてその隣に、ズームレンズを構成するレンズ群を進退させるためのカム機構が配され、これらズームレンズとカム機構の奥側、すなわち撮影レンズ窓１０３と逆側に発光装置用コンデンサなどの電装部品が配されている。そして操作部１０２における撮影用操作釦類１０６乃至１１３は、Ｙシャツの胸ポケットやＧパンの臀部ポケットなどに収容した場合でも引っかかりや違和感を感じさせないよう、操作部１０２の外カバーの平面から突出しないように設けられ、さらに、シャッター釦１０６はカメラ１００を右手で保持したときに人差し指で操作可能とし、ズームキー１０９、選択決定キー１０８、メニュー釦１１０、モードセレクト釦１１３などは、同じく右手でカメラ１００を保持したとき、親指の届く範囲に配置して操作性を高めてある。
【００３０】
そして電子カメラ１００は、表示装置１０５を常時視認できるよう撮影者の方に向けたまま、図２に示したように撮像部１０１を被写体の方に向けたり、図３に示したように逆に回動させて撮影レンズ窓１０３がカメラ操作者（自分）の方を向くようにし、自分撮りもできるようになっている。また電子カメラ１００は、撮像部１０１の撮影レンズ窓１０３側の端から発光装置用の窓１０４側の端までの長さＬ１（図３）を、例えば左手人差し指の先端から第２関節近辺までの長さとし、かつ、撮像部１０１における撮影レンズ窓１０３とは逆側の長さをＬ２（図３）としたとき、発光装置窓１０４部分の（Ｌ１−Ｌ２）に相当する部位の光軸方向厚さＬ３（図３）を、略人差し指の厚さとしてＲを付けて操作部１０２側に張り出して構成してある。このようにすることで、操作部１０２における表示装置１０５の右側に操作釦類を配置するためのスペースを作ることができ、小型でありながら、操作性の良い電子カメラを構成することができる。また撮影レンズ窓１０３からヒンジ機構の回動中心までの距離は、ヒンジ機構の回動中心から撮影レンズ窓１０３とは逆側の端までの距離より大きくとってある。
【００３１】
そしてこの電子カメラ１００を使うときは、電源釦１０７を押下することで電源がオンとなるから、前記したように親指で各操作釦を操作し、モードセレクト釦１１３によって絞り優先モードやシャッター優先モードなどの撮影条件、高速で動く被写体を撮影するスポーツモード、近距離のものを撮影するマクロモード、ストロボの強制発光や発光停止等のストロボ制御、動画撮影、再生などのモードを選択する。そして必要に応じ、メニュー釦１１０を押下して表示装置１０５に例えば画像のサイズ、撮影感度、測光方式などの各種メニューを表示させ、十字キーと決定キーで構成された選択決定キー１０８の十字キーで項目を選択し、中央の決定釦で決定する。
【００３２】
そして、図２に示したように被写体の方に撮影レンズ窓１０３を向けて撮影するときは、図４に示したように右手で操作部１０２側をホールドし、例えば左手の人差し指と中指で撮像部１０１のＬ１（図３）の長さを有するＬ３（図３）の部分を挟んで撮影レンズ窓１０３を被写体に向ける。そして、表示装置１０５に映し出された被写体を見ながら右手親指で撮像部１０１のズームキー１０９を操作し、所定の倍率を選択して構図を決定した後、右手人差し指でシャッター釦１０６を押下することで自動的にピントと露出が決定され、内蔵されたＣＣＤなどの撮像素子によって撮影された画像が内蔵されたメモリに記録するようになっている。このようにして撮影をおこなうことにより、前記したように撮像部１０１における撮影レンズ窓１０３からヒンジ機構の回動中心までの距離は、ヒンジ機構の回動中心から撮影レンズ窓１０３とは逆側の端までの距離より大きくとってあるから、レンズ部が大きく回り、撮像部１０１を素早く被写体に向けられると共に、カメラ１００をしっかりホールドすることができる。
【００３３】
こうして撮影が済んだら、モードセレクト釦１１３を操作して再生モードにすると、メモリに蓄えられた画像が表示装置１０５に表示され、選択決定キー１０８における十字キーを操作することで順次撮影した画像を表示させることができる。なお、動画撮影モードの場合は、全く同様にして動画をメモリに記録し、シーン釦１１２によって必要なシーンを選択し、スピーカ１１４によって音声も同時に再生させることができる。
【００３４】
このように構成した電子カメラ１００の撮像部１０１と操作部１０２は、第１実施形態である図５乃至図９に示したようなヒンジ機構で結合されている。図５は撮像部１０１にヒンジ機構を組み込み、操作部１０２における上カバーと内部構成部品を取り去って結合部を示した斜視図、図６は図５に示したヒンジ機構を分解して示した斜視図、図７はヒンジ機構を構成するヒンジレンズプレート５０１とシャフト付きヒンジプレート５０２のそれぞれの、図５に示した状態における光軸方向中心部の断面図、図８（Ａ）はレンズヒンジプレート５０１におけるストッパリブの位置を説明するための図で、図８（Ｂ）はストッパリブへのＯリングの取り付け状態を示す図、図９はシャフト付きヒンジプレート５０２における凹部と、Ｏリングを填め込んだストッパリブによるシャフト付きヒンジプレートへのフリクションを説明するための図である。
【００３５】
図中１１５は操作部１０２側に設けられたサブ基板、１１６は操作部１０２の下カバー、１１７は撮像部１０１の上カバー、１１８は同じく下カバー、５００はヒンジ機構におけるシャフト、５０１は撮像部１０１側に固定され、Ｃリング５０３で抜け止めしたシャフト５００を回転可能に保持するヒンジレンズプレート、５０２は操作部１０２側に固定され、シャフト５００と凹部５０７が設けられたシャフト付きヒンジプレート、５０３はシャフト５００をヒンジレンズプレート５０１から抜け止めするためのＣリング、５０４は略円弧状に形成され、シャフト５００の回動範囲を制限すると共にフリクションを与えるためのストッパリブで、弾性部材たるＯリング５０６を填め込んでこのＯリングを保持する保持部材の役目も持ち、シャフト付きヒンジプレート５０２における凹部５０７に填め込んで、凹部５０７のストッパ面５１０によって撮像部１０１と操作部１０２の相対的な回動を所定角度で停止させると共に、Ｏリング５０６がシャフト５００の側面に当接することによる摩擦により、撮像部１０１と操作部１０２の相対的な回動に際してフリクションを与えるようになっている。５０５はシャフト付きヒンジプレート５０２のシャフト５００の孔、５０６はＯリング、５０７はＯリング５０６を填め込んだストッパリブ５０４を填め込む凹部、５０８はＣリングを填め込む溝、５０９はシャフト付きヒンジプレート５０２のシャフト５００を入れる孔、５１０は凹部５０７のストッパ面、５１１、５１２はレンズヒンジプレート５０１とシャフト付きヒンジプレート５０２をそれぞれ撮像部１０１、操作部１０２にビスで固定するためのビス孔である。
【００３６】
電子カメラ１００のヒンジ機構は、図６に示したように、ストッパリブ５０４を有して撮像部１０１に固定されるレンズヒンジプレート５０１、シャフト５００及びＯリング５０６を填め込んだストッパリブ５０４を填め込む凹部５０７を有し、操作部１０２に固定されるシャフト付きヒンジプレート５０２とで構成される。このうちレンズヒンジプレート５０１は、図８（Ａ）に示したように、四隅に撮像部１０１にビスで固定するためのビス孔５１１が設けられ、シャフト付きヒンジプレート５０２のシャフト５００が入る孔５０９の横に、Ｏリング５０６を填め込むストッパリブ５０４が設けられている。また、シャフト付きヒンジプレート５０２は、四隅に操作部１０２にビスで固定するためのビス孔５１２が設けられ、シャフト５００の周りには、Ｏリング５０６を填め込んだストッパリブ５０４を填め込み、所定角度で撮像部１０１と操作部１０２の相対的な回動を停止させるストッパ面５１０を有する凹部５０７が配されている。
【００３７】
そしてこのレンズヒンジプレート５０１とシャフト付きヒンジプレート５０２は、それぞれ撮像部１０１、操作部１０２にビス孔５１１、５１２で固定され、レンズヒンジプレート５０１のストッパリブ５０４に、図８（Ｂ）のようにＯリング５０６が填め込まれる。そして、シャフト付きヒンジプレート５０２をレンズヒンジプレート５０１側から見ると共に、レンズヒンジプレート５０１側のＯリング５０６を填め込んだストッパリブ５０４の位置を点線で示した図９に示したように、シャフト付きヒンジプレート５０２における凹部５０７に、このストッパリブ５０４とＯリング５０６が填め込まれるように挿入し、シャフト５００とストッパリブ５０４によってこのＯリング５０６を挟むことで、シャフト５００の回動に際して摩擦力によるフリクションを与えるようにしてある。
【００３８】
そのため電子カメラ１００は、前記図２、図３に示したように撮像部１０１を操作部１０２に対して相対的に回動させるとき、適度なフリクションを感じながら回動させることができ、さらに適当な回動角度で回動を止めても、その位置で保持されるから、従来のように係止機構やクリック機構などを用いずとも任意角度に撮像部１０１を回動させて停止させることができる。また、撮像部１０１と操作部１０２を相対的に回動させるとき、図９に示した凹部５０７のストッパ面５１０で定められた所定角度一杯に回動させても、このストッパ面５１０はストッパリブ５０４に填め込まれたＯリング５０６によって衝撃吸収されるから、多少乱暴に回動させても壊れるといったことがない。さらにヒンジ機構は、図５からも明らかなように、シャフト５００は中空であるから、その内部に撮像部１０１と操作部１０２間を結ぶ信号線や電源線などを通すことが可能であり、機械的な接点などを用いずに配線が可能となる。
【００３９】
図１０乃至１７はヒンジ機構のフリクションを与える他の実施例であり、まず図１０は、この図１０（Ａ）に示したように、前記ヒンジレンズプレート５０１に設けた略円弧状のストッパリブ５０４の代わりに、ヒンジレンズプレート５０１に立設した棒状のリブ５０４ａ、５０４ｂを設けたもので、この棒状リブ５０４ａ、５０４ｂに図１０（Ｂ）に示したように、Ｏリング５０６を係止させることで、前記図９に示したのと同様な効果を持たせたものである。なお、この棒状リブの数は、図１０に示した２本だけに限らず、図１１に示したようにリブ５０４ｃを加え３本、又はそれ以上設けても良く、更に図１２のように、１本のＯリングではなく、複数本のリブ５０４ａ、５０４ｂ、５０４ｄ、５０４ｅのそれぞれに小さなＯリング５０６ａ、５０６ｂ、５０６ｄ、５０６ｅを係止するようにしても良い。
【００４０】
また、シャフト付きヒンジプレート５０２についても、図７に示したようにシャフト５００と一体とするのではなく、図１３に示したように、シャフト付きヒンジプレート５０２とシャフト５２１を別部材とし、シャフト５２１をヒンジプレート部５２０にネジ５２２などで固定する構成としてもよい。更に図１４（Ａ）に示したように、シャフト５２５をヒンジレンズプレート５２６を貫通させてネジ５２２で固定し、ネジ５２３で筐体に固定したヒンジレンズプレート５２６に凹部５２７を設けるようにしても良く、図１４（Ｂ）のように、シャフト付きヒンジプレート５０２を筐体に取り付け、筐体側に凹部５２８を形成するようにしても良い。
【００４１】
また、Ｏリング５０６も、図８（Ｂ）のようにヒンジレンズプレート５０１に設けたストッパリブ５０４に係止するのではなく、図１５乃至１７に示したように、シャフト５３０に設けたＯリング５３２を入れる凹溝部５３１に填め込み、ヒンジレンズプレート５３３に設けたこのＯリング５３２と当接する当接部５３４と当接させてフリクションを与えるようにしても良い。この凹溝部５３１は、図１６（Ａ）に示したように、その一部５３５に凹溝部５３１が無く、そのため、図１６（Ｂ）、又は図１７に示したように、Ｏリング５３２はこの部分で突出するため、この部分で当接部５０４で回動が阻止され、回動角度が制限される。
【００４２】
このように、撮像部１０１と操作部１０２との相対的な回動を所定角度で停止させるためのストッパリブ５０４を有したヒンジプレート５０１と、ヒンジプレート５０１に回転可能に抜け止めした回転シャフト５００、及び前記ヒンジプレート５０１に設けられたストッパリブ５０４への当接によって回動を所定角度に制限するためのストッパ面５１０を配した凹部５０７を有するシャフト付きヒンジプレート５０２と、ストッパリブ５０４に填め込んでシャフト付きヒンジプレート５０２の回動にフリクションを与えるＯリング５０６とで構成し、シャフト付きヒンジプレート５０２のシャフト５００とＯリング５０６との摩擦力によって前記撮像部１０１と操作部１０２の回動にフリクションを与えるようにしたから、適度なフリクションを簡単、安価な構成で与えることのできる電子カメラ１００を提供できる。
【００４３】
そして凹部５０７は、前記シャフト付きヒンジプレート５０２におけるシャフト５００の周囲に、前記ストッパ面５１０が前記ストッパリブ５０４へ当接することによって撮像部１０１と操作部１０２の相対的な回動を所定角度で停止できるように設けられているから、凹部５０７が邪魔になることなく組み立ても簡単な電子カメラ１００を提供することができる。
【００４４】
さらに、前記ヒンジシャフト５００は中空とし、該中空部に前記撮像部１０１と操作部１０２を結ぶ信号線を通せるようにすることで、機械的な接点などを用いることなく結線することができる。
【産業上の利用可能性】
【００４５】
電子カメラ、携帯電話など、回動をおこなう機器に用いることができる。
【図面の簡単な説明】
【００４６】
【図１】電子カメラの全体図である。
【図２】電子カメラのレンズを被写体方向に向けた撮影状態を示した図である。
【図３】電子カメラのレンズをカメラ操作者（自分）方向に向けた撮影状態を示した図である。
【図４】電子カメラのレンズを被写体方向に向けた撮影するときのカメラのホールド状態を示した図である。
【図５】撮像部１０１にヒンジ機構を組み込み、操作部１０２における上カバーと内部構成部品を取り去って結合部を示した斜視図である。
【図６】図５に示したヒンジ機構を分解して示した斜視図である。
【図７】ヒンジ機構を構成するヒンジレンズプレート５０１とシャフト付きヒンジプレート５０２のそれぞれの、図５に示した状態における光軸方向中心部の断面図である。
【図８】（Ａ）はレンズヒンジプレート５０１におけるストッパリブの位置を説明するための図で、（Ｂ）はストッパリブへのＯリングの取り付け状態を示す図である。
【図９】シャフト付きヒンジプレート５０２における凹部と、Ｏリングを填め込んだストッパリブによるシャフト付きヒンジプレートへのフリクションを説明するための図である。
【図１０】ヒンジ機構にフリクションを与えるため、略円弧状のストッパリブの代わりに、ヒンジレンズプレートに立設した棒状のリブを用いた実施例である。
【図１１】ヒンジ機構にフリクションを与えるため、略円弧状のストッパリブの代わりに、ヒンジレンズプレートに立設した棒状のリブを用いた実施例である。
【図１２】ヒンジ機構にフリクションを与えるため、略円弧状のストッパリブの代わりに、ヒンジレンズプレートに立設した棒状のリブを用い、それぞれのリブにＯリングを係止した実施例である。
【図１３】ヒンジプレート部とシャフトを別部材とし、シャフトをヒンジプレート部にネジなどで固定した実施例である。
【図１４】（Ａ）はシャフトをヒンジレンズプレートを貫通させてネジで固定し、ヒンジレンズプレートに凹部を設けた実施例で、（Ｂ）はシャフト付きヒンジプレートを筐体に取り付け、筐体側に凹部を形成した実施例である。
【図１５】シャフトに設けたＯリングを入れる凹溝部にＯリングを填め込無用にした実施例である。
【図１６】凹溝部と当接部の関係を示した図である。
【図１７】凹溝部と当接部の関係を示した図である。
【符号の説明】
【００４７】
５００  シャフト
５０１  ヒンジレンズプレート
５０２  シャフト付きヒンジプレート
５０３  Ｃリング
５０４  ストッパリブ
５０５  孔
５０６  Ｏリング
５０７  凹部
５０８  溝
５０９  孔
５１０  ストッパ面
５１１、５１２  ビス孔
【図１】
2005079924.tif 000003
【図２】
2005079924.tif 000004
【図３】
2005079924.tif 000005
【図４】
2005079924.tif 000006
【図５】
2005079924.tif 000007
【図６】
2005079924.tif 000008
【図７】
2005079924.tif 000009
【図８】
2005079924.tif 000010
【図９】
2005079924.tif 000011
【図１０】
2005079924.tif 000012
【図１１】
2005079924.tif 000013
【図１２】
2005079924.tif 000014
【図１３】
2005079924.tif 000015
【図１４】
2005079924.tif 000016
【図１５】
2005079924.tif 000017
【図１６】
2005079924.tif 000018
【図１７】
2005079924.tif 000019